Podtech/llm-jp-corpus-v4-ja_patent huggingface dataset:
(57)【要約】      （修正有）【課題】車両用のタイヤチェーンにおいて、装着性を改善し容易に装着できる車両用のタイヤチェーンを提供する。【解決手段】クロスチェーン３の間に幅を固定可能な固定バー４を、1ヶ所以上取りける事によりタイヤ上面で、外側の第一の板フックを固定すると、自動的に外側のクロスチェーンがタイヤの外側に出て来る為に相反する解放部の第二の板フックでの固定が容易に出来き、捻じれや、表裏の確認も不要となり、車を移動することなく装着する事が可能となる。【選択図】図１
0003186502.tif 000002
【実用新案登録請求の範囲】
【請求項１】
車両用タイヤチェーンにおいて、クロスチェーンの間に固定バーを１ヶ所以上設けることで、横幅を固定し装着を容易にする事を特徴とする車両用のタイヤチェーン。
【請求項２】
前記固定バーとサイドチェーンとの接続部分に、１ｍｍ程度の間隙を設けたことを特徴とする請求項１に記載の車両用タイヤチェーン。
【考案の詳細な説明】
【技術分野】
【０００１】
本考案は、車両用タイヤチェーンに関する。
【背景技術】
【０００２】
従来のタイヤチェーンは、図４に示すように装着時に次の様な問題点が有ります。
一つ目は車を移動させることが必要となる、二つ目は外側のチェーンの一部が解放されている為に、引き上げる時に捻じれた時の修復作業、三つ目は解放部が２か所あるため、チェーンを外す時に解放部の位置を確認する事が必要となる。
例えば、特開平９−２６７６１０号には、短時間で装着が容易なタイヤチェーン及び装着方法として、相反する位置に夫々開放部を有するように輪状に連なる第１及び第２チェーンを構成し、複数個の摩擦チェーンで連結する技術が開示されているが、これだけでは装着性の改善は充分ではない。
【先行技術文献】
【特許文献】
【０００３】
【特許文献１】特開平９−２６７６１０号
【考案の概要】
【考案が解決しようとする課題】
【０００４】
本考案は、車両用のタイヤチェーンにおいて、装着性を改善し容易に装着できるタイヤチェーンを提供することを課題とする。
【課題を解決するための手段】
【０００５】
タイヤチェーンの円周上であって、内及び外側のサイドチェーンに其々同じ位置に解放部を設け、更にサイドチェーンの端部に解放部を設け、其々の解放部には接続する為の板フックを設ける。更にクロスチェーン間に幅を固定可能な固定バーを、1ヶ以上設ける事により、タイヤ上面で外側の第一の板フックを固定すると、自動的に外側のクロスチェーンがタイヤの外側に出て来る為、内側サイドチェーン解放部の第二の板フックによる固定が容易に出来きることから、捻じれや、表裏の確認も不要となり、車を移動することなく装着する事が可能となる。
【０００６】
サイドチェーンと固定バーの取り付け部分には、隙間を設ける事により、作業中は固定バーを内、又は外側のサイドチェーンに倒して一本の棒状となり、車両の他の部品との干渉を防ぐ事で装着が容易となり、更にスペースの狭いダブルタイヤへの装着も可能となることから、軽自動車から大型自動車迄幅広い車種への装着が可能となる。
【０００７】
本考案は、図３の様にタイヤチェーンをタイヤの内側を通して、内側からタイヤの上面まで持ち上げて、内側の第一の板フックを固定し、次に上面にある外側の第一の板フックを固定する。そうすると固定バーの作用により外側のもう一ヶ所の接続部がタイヤの外側の接地面近くに出てくるため、第二の板フックで固定することで装着が完了する。
【考案の効果】
【０００８】
本考案は、タイヤの内側での作業が無くなり、車を移動する事がなく、又幅を固定する事により、装着する時に生じる捻じれや表裏の確認簡単になる為に誰でも、何処でも、確実に、安価に、短時間で装着する事が可能となる。
【図面の簡単な説明】
【０００９】
【図１】本考案のタイヤチェーン
【図２】作業中のタイヤチェーンの状態
【図３】本考案のタイヤチェーンの装着方法
【図４】現在市販されているタイヤチェーン
【考案を実施するための形態】
【００１０】
図１の様にタイヤチェーンの外側、内側其々１か所に解放部を設け、接続用に第一の板フックを設ける。又内及び外側のサイドチェーンの端部に解放部を設けて、接続用に第二の板フックを設け、合計３ヶ所の接続部を設ける。
又、タイヤチェーンの幅を固定する固定バーは、弾力性のある円弧を設けた丸棒、板、プラスチック等から選択され、クロスチェーンの間に２本以上取り付ける。固定バーは軽自動車用タイヤで２個、普通車用タイヤ、大型車用タイヤで３個以上設けることが望ましい。
【００１１】
サイドチェーンと固定バーの接続部分には、１ｍｍ程度の隙間を設けておくことで、固定バーの動作が隙間の分自由に動作可能となり、作業性が向上する。
固定バーは、タイヤの保護の為に、表面を化成品でコーティングするよい。
【産業上の利用可能性】
【００１２】
本考案のタイヤチェーンは、工場などでの生産が可能である。  
【符号の説明】
【００１３】
１  外側のサイドチェーン
２  内側のサイドチェーン
３  クロスチェーン
４  固定バー  
５  固定バー
６  固定バー
７  タイヤの保護の為の化成品
【図１】
0003186502.tif 000003
【図２】
0003186502.tif 000004
【図３】
0003186502.tif 000005
【図４】
0003186502.tif 000006
(57)【要約】      （修正有）【課題】飲料の自動販売機用の空容器回収ボックスにおいて、回収ボックスの本体と蓋が離散しないように、外観を改造せずに、またどのような形状の空容器回収ボックスにも使用できる、簡単に確実に本体と蓋を繋ぐ部品を提供する。【解決手段】ひも状の素材３で繋がれ、両面テープ２を貼った２つのプレート１を有する部品であり、飲料自動販売機の空容器回収ボックスの本体と蓋のそれぞれに内側から貼りつけて使用する。【選択図】図１
0003186510.tif 000002
【実用新案登録請求の範囲】
【請求項１】
飲料の自動販売機用の空容器回収ボックスにおいて、ボックス本体と蓋に使用する、ひも状の素材でつなげられた、両面テープが貼られた2つのプレートを有する部品。
【請求項２】
飲料の自動販売機の空容器回収ボックスにおいて、ボックス本体と蓋のそれぞれに、ひも状の素材でつなげられ、両面テープを貼って使用されるプレートで、ひもを通す穴の位置を中心部に設定したプレート
【考案の詳細な説明】
【技術分野】
【０００１】
本考案は、飲料自動販売機において、空容器回収ボックスのふたが、風で離散するのを防止するための部品形状に関する。
【背景技術】
【０００２】
従来は、飲料容器回収ボックスのふたが風で離散するのを防ぐために、クリップで止めたり、本体とふたの両方に穴をあけ、針金などで結びつけていたが、あけた穴により容器自体が割れやすくなったり、穴あけなどの作業に手間がかかったり、また見た目が汚らしい等の問題があった。
【考案の開示】
【考案が解決しようとする課題】
【０００３】
解決しようとする問題点は、回収ボックスの蓋を離散しないように簡単に確実に本体と蓋を繋ぎ、外観は全く変わらない状況を作り出すという点である。
【課題を解決するための手段】
【０００４】
本考案は、両面テープを貼った２つのプレートとそれぞれを結び付けるひも状の素材からなる部品で  各フ゜レートを回収ボックスの蓋と本体のそれぞれに内側より貼り  蓋と本体を結び付け離散を防ぐことにある。
【考案の効果】
【０００５】
本考案においては、空容器回収ボックスの蓋が離散するといううトラブルが回避でき、回収ボックスに改造を加えることなく誰でも簡単に設定が出来、又、外見は変わらず、どのような形状の回収ボックスにも使用が可能となる。
【考案を実施するための最良の形態】
【０００６】
どのような形状の空容器回収ボックスでも、簡単にセットできる  蓋が離散するのを防ぐための  部品形状を実現した。
【実施例１】
【０００７】
図１は２つのプレートとそれを結び付けるひもをつけた状態の図である。
【０００８】
図２は回収ボックスの本体と蓋の内側に  離散防止プレートを貼りつけた図である。
【実施例２】
【０００９】
図３はプレートの中央部にひもを通す穴をもうけたフ゜レートの図である。
【実施例３】
【００１０】
図４はプレートの上部をコの字に曲げたものである。
【００１１】
図５は、コの字に曲げた部分をボックス本体の上部の枠の部分に勘合した図である。
【産業上の利用可能性】
【００１２】
離散防止プレートを蓋と本体に貼りつけ結び付けることにより、蓋が風などにより離散することを防ぎ、人や車等物品への衝突による事故防止や破損防止につなげることができる。また、蓋の損失防止によるコスト低減や、美観の維持にもつながる。
【図面の簡単な説明】
【００１３】
【図１】両目テープを貼ったプレート２つをひもでつないだ図である（実施例１）
【図２】飲料回収ボックスの蓋と本体に離散防止プレートを貼った図である。（実施例１）
【図３】プレートの中央部にひもを通す穴を設けたフ゜レートの図である。（実施例２）
【図４】コの字の形状を有するプレートの図である（実施例３）
【図５】回収容器本体の上部口の枠にコの字形状のプレートをセットした図である。（実施例３）
【符号の説明】
【００１４】
１    プレート部
２    両面テープ
３    ひも部
４    回収ボックス蓋部
５    回収ボックス本体部
６    コの字の形状
７    回収容器本体の開口部の縁
８    ひも通し穴
【図１】
0003186510.tif 000003
【図２】
0003186510.tif 000004
【図３】
0003186510.tif 000005
【図４】
0003186510.tif 000006
【図５】
0003186510.tif 000007
(57)【要約】      （修正有）【課題】冷蔵庫において庫内の食材の形状に合わせて前後左右自在に仕切りを移動し、整理整頓をフレキシブルに可能にする冷蔵庫用仕切り用具を提供する。【解決手段】底板２と、仕切り板３とからなり、底板２には縦横に等しい間隔に穴孔を備える。仕切り板３には底板２の穴孔にはめ込んで使用するボスを持つ形状とし、食品の大小・長短に合わせて仕切りの位置を変更できる事を特徴とし、併せて  ボスのはめ込み易さや冷気循環等へ配慮された形状を特徴とする。【選択図】図１
0003186580.tif 000002
【実用新案登録請求の範囲】
【請求項１】
底板２と、仕切り板３からなり、底板２に縦横に等間隔の穴孔２１を設け、仕切り板３を自在に差し込むことにより、仕切り板３の位置を縦横自在に変更し、冷蔵庫に収納する食品の形状に合わせて整理・整頓を可能にしたことを特徴とする冷蔵庫用仕切り用具。
【請求項２】
仕切り板３は、下部に穴孔に挿入できるボス３１を３ケ所備え、その上部に鍔部３４を備えて倒れを防止できようにしたことを特徴とする請求項１記載の冷蔵庫用仕切り用具。
【請求項３】
仕切り板３は、底板２１のピッチ誤差を吸収する弾力性を可能とするための切り欠き２２を備えた事を特徴とする請求項１記載の冷蔵庫用仕切り用具。
【請求項４】
仕切り板３は、冷気循環を可能にする長穴３３を設ける事を特徴とする請求項１記載の冷蔵庫用仕切り用具。
【考案の詳細な説明】
【技術分野】
【０００１】  家庭用冷蔵庫の整理のための仕切り用具に関する。
【背景技術】
【０００２】  今まで冷蔵庫内の整理のために自在に前後左右に位置を変更できる仕切り用具はなかった。
【考案の概要】
【考案が解決しようとする課題】
【０００３】  家庭で使用する冷蔵庫内の整理のための優れた用具がなく、乱雑に収納されている為消費期限切れの食品が発生し廃棄処分されるなどの事例が多発している。
【課題を解決しようとするための手段】
【０００４】  底板２と仕切り板３からなり、底板２には縦横に等間隔の穴孔２１を設け、仕切り板３に設けた挿入用ボス３１を、その収納する食品の形状に合わせ自在に位置を変更して挿入でき、冷蔵庫内の整理整頓を可能にすることを特徴とする用具
【０００５】  仕切り板３は、その下部に底板の穴孔に挿入できるボス３１を３ケ所備え、その上部に鍔部３４を備えて倒れを防止できることを特徴とする冷蔵庫用仕切り用具。
【０００６】  仕切り板３は、底板２１のピッチ誤差を吸収する弾力性を可能とするための切欠き３２を備えたことを特徴とする冷蔵庫用仕切り用具。
【０００７】  仕切り板３は、冷気循環を可能にする長穴３３を設けることを特徴とする冷蔵庫用仕切り用具。
【考案の効果】
【０００８】  仕切り板を縦横に自由に位置変えができるので、日毎更新される食品の形状や大きさに合わせ整理ができ、陰に隠れて長期間使用されず、廃棄される食品を低減できる。又、底板に空間ができるので、冷気が対流し、庫内温度の偏りをなくし、食品の傷みを緩和することができる。
【図面の簡単な説明】
【０００９】
【図１】本考案の冷蔵庫用仕切り用具の組立使用図
【図２】本考案の冷蔵庫用仕切り用具の底板の平面図
【図３】本考案の冷蔵庫用仕切り用具の底板の側面図
【図４】本考案の冷蔵庫用仕切り用具の仕切り板の側面図
【図５】本考案の冷蔵庫用仕切り用具の仕切り板の平面図
【考案を実施するための形態】
【００１０】  図１は底板２と仕切り板３との組立使用図である。
本考案の冷蔵庫用仕切り用具は底板２と仕切り板３から構成される。
図２の底板の穴孔２１に、収納品に合わせて前後左右自在に仕切り板の底部のボス３１をはめ込み使用する。
【００１１】  本考案の底板の平面図を図２に、側面図を図３に示す。
当該底板は扁平の箱型で縦横に等間隔のピッチをもつ穴孔２１を有し側面に冷気を循環させるため、切り欠き２２を備える。
【００１２】  仕切り板の平面図を図５に、側面図を図４に示す。
仕切り板には底板の穴孔２１に挿入する３個のボス３１を有し、寸法誤差を吸収するため２か所の切り欠き３２を設け、かつ冷気循環を容易にする長穴３３を備える。
【産業上の利用可能性】
【００１３】  家庭用冷蔵庫において、収納する品物に合わせて位置決めが出来、整理整頓を容易に可能にする用具を提供する。
【符号の説明】
【００１４】１  冷蔵庫用仕切り用具
２  底板
２１  穴孔
２２  切り欠き
３  仕切り板
３１  ボス
３２  切り欠き
３３  長穴
３４  鍔部
【図１】
0003186580.tif 000003
【図２】
0003186580.tif 000004
【図３】
0003186580.tif 000005
【図４】
0003186580.tif 000006
【図５】
0003186580.tif 000007
(57)【要約】      （修正有）【課題】眼鏡フレームのテンプルの折り畳みとその開閉を可能に連結する丁番構造であって、調整可能な安定したトルクで長期に渡り滑らかな開閉を維持し、仮に部品が磨耗した時には部品交換が容易な眼鏡の丁番構造を提供する。【解決手段】眼鏡フレームのフロントフレームとテンプルを繋ぐヨロイに設けられた円形の貫通孔４に、テンプルに設けられた円柱形凸シリンダー５の切り込み部６に回転摺動面になる樹脂部品７を確り固定する様に組み込んだ形で差込み、ヨロイの側面から貫通孔までに施した貫通ネジ穴８に押さえ部品９とスプリング１０を順次進入し、止めネジ１１で締め付けることによりヨロイにテンプルを折り畳みとその開閉を可能に連結する。【選択図】図２
0003186576.tif 000002
【実用新案登録請求の範囲】
【請求項１】
眼鏡フレームのフロントフレームとテンプルを繋ぐヨロイに設けられた円形の貫通孔に、テンプルに設けられた円柱形シリンダーの切り込み部に樹脂部品を確り固定する様に組み込んだ形で差込み、ヨロイの側面から貫通孔までに施した貫通ネジ穴に押さえ部品とスプリングを順次進入し、回転摺動面になる樹脂部品のＲ形状凹溝部を押さえ部品のＲ形状先端部でスプリングを解して止めネジで締め付けることによりヨロイにテンプルを上下に抜けることなく、折り畳みとその開閉を可能に連結することを特徴とする眼鏡の丁番構造。
【請求項２】
請求項１の樹脂部品の回転摺動面に一定間隔に凹溝などを施すことにより、開閉時にクリック感的感触を得ることが可能であることを特徴とする構造。
【考案の詳細な説明】
【技術分野】
【０００１】
本考案は、眼鏡フレームのテンプルが折り畳みできるように用いられる丁番部の構造に関する。
【背景技術】
【０００２】
一般の眼鏡フレームのテンプルは小さな丁番を介して折り畳みとその開閉を可能に連結されている。しかしテンプル開閉を繰り返すことにより小さな丁番はその軸ネジが緩んだり、摺動面が磨耗したりしてガタ付き、その結果テンプル開閉の安定性が損なわれ、時には開閉を維持できない状態になることも多い。その問題を解決するために特許文献１で示すような構造をもった商品も知られている。
【先行技術文献】
【特許文献】
【０００３】
【特許文献１】特開２００２−２０７１９８
【考案の概要】
【考案が解決しようとする課題】
【０００４】
上記のように長期的に眼鏡フレームのテンプル開閉の安定性を損なわない構造商品には、開閉時の心地よいトルク感を追及した商品は少ない。この心地よいトルク感は消費者の個々の感覚であるため調整ができることが求められるが、丁番ネジなどが緩まない構造を追及していることにより調整ができる機能には殆んどなっていない。また、摺動面の滑らかさと万が一の磨耗部品の交換の容易性を備えた構造であることも必要である。
【０００５】
本考案は、眼鏡フレームのテンプル開閉に求められる上記機能を全て備え、かつ開閉時の滑らかな心地よいトルク感の他に心地よいクリック感の開閉への変更可能な機能を備えた丁番構造を提供するものである。
【課題を解決するための手段】
【０００６】
本考案は、眼鏡フレームのフロントフレームとテンプルを繋ぐヨロイに設けられた円形の貫通孔に、テンプルに設けられた円柱形凸シリンダーの切り込み部に回転摺動面になる樹脂部品を確り固定する様に組み込んだ形で差込み、ヨロイの側面から貫通孔までに施した貫通ネジ穴に押さえ部品とスプリングを順次進入し、止めネジで締め付けることを特徴とする。
【考案の効果】
【０００７】
上述したように本考案は、ヨロイとテンプルの回転摺動面をスプリングを解してネジ締めする構造のため、回転摺動面に常に一定に近い圧力を掛けることが可能となり安定したトルクの開閉が実現する。
【０００８】
同時に止めネジによる締め付け具合で開閉のトルク調整も可能である。
【０００９】
また、スプリングを解してのネジ締めにより止めネジには常にスプリングの圧力がかかっているためネジ緩みが起こり難い。
【００１０】
ヨロイ側の回転摺動面に金属製の押さえ部品と滑り的に相性の良いポリアセタール樹脂材を使用することで、滑らかで心地良い回転開閉を実現する。
【００１１】
ヨロイ側の回転摺動面がはめ込み式部品構造のため、万が一に回転摺動面の部品が磨耗した時には部品交換が可能である。
【００１２】
また、樹脂部品の回転摺動面に一定間隔に凹溝などを施した別部品と交換することで、開閉時に心地よいクリック感のある回転開閉に変更が可能である。
【図面の簡単な説明】
【００１３】
【図１】メガネフレームの外観図
【図２】丁番部構造図
【図３】丁番部断面図
【考案を実施するための形態】
【００１４】
以下、考案の実施の形態を図１，図２，図３に基づいて説明する。
【実施例】
【００１５】
図１、図２、及び、図３において、眼鏡フレームのフロントフレーム１とテンプル２を繋ぐヨロイ３に設けられた円形の貫通孔４に、テンプル２に設けられた円柱形シリンダー５の切り込み部６に樹脂部品７を確り固定する様に組み込んだ形で差込み、ヨロイ３の一面から貫通孔４までに施した貫通ネジ穴８に押さえパーツ９とスプリング１０を順次進入し、回転摺動面になる樹脂部品７のＲ形状凹溝部を押さえ部品９のＲ形状先端部でスプリング１０を解して止めネジ１１で締め付けることによりヨロイ３にテンプル２を上下に抜けることなく、折り畳みとその開閉を可能に連結することができる。
【符号の説明】
【００１６】
１  フロントフレーム
２  テンプル
３  ヨロイ
４  貫通孔
５  円形シリンダー
６  円形シリンダーの切り込み部
７  樹脂部品
８  貫通ネジ穴
９  押さえ部品
１０  スプリング
１１  止めネジ
【図１】
0003186576.tif 000003
【図２】
0003186576.tif 000004
【図３】
0003186576.tif 000005
【手続補正書】
【提出日】平成25年8月13日(2013.8.13)
【手続補正１】
【補正対象書類名】実用新案登録請求の範囲
【補正対象項目名】請求項１
【補正方法】変更
【補正の内容】
【請求項１】
眼鏡フレームのフロントフレームとテンプルを繋ぐヨロイに設けられた円形の貫通孔に、テンプルに設けられた円柱形シリンダーの切り込み部に樹脂部品を確り固定する様に組み込んだ形で差込み、ヨロイの側面から貫通孔までに施した貫通ネジ穴に押さえ部品とスプリングを順次進入し、回転摺動面になる樹脂部品のＲ形状凹溝部を押さえ部品のＲ形状先端部でスプリングを介して止めネジで締め付けることによりヨロイにテンプルを上下に抜けることなく、折り畳みとその開閉を可能に連結することを特徴とする眼鏡の丁番構造。
【手続補正２】
【補正対象書類名】実用新案登録請求の範囲
【補正対象項目名】請求項２
【補正方法】変更
【補正の内容】
【請求項２】
前記樹脂部品の回転摺動面に一定間隔に凹溝などを施すことにより、開閉時にクリック感的感触を得ることが可能であることを特徴とする請求項１に記載の眼鏡の丁番構造。
(57)【要約】      （修正有）【課題】乳児の鳴き声の音声を低くし迷惑を軽減しようとする乳児鳴声吸音テントを提供する。【解決手段】乳児の泣き声音量を低くする為にベビーベット等を吸音素材生地で出来たベビーベットカバーテント２で囲む。その際、安全面で覗き窓４、空気孔６を設け、出入り口７も設ける。また、ベビーベットや床面、畳に乳児を寝かせることが有るからテントの高さを調節する器具も設ける。【選択図】図２
0003186583.tif 000002
【実用新案登録請求の範囲】
【請求項１】
乳児寝具を囲む吸音素材使用の覗き窓、通風口付き折りたたみ式乳児鳴声吸音テント
【考案の詳細な説明】
【技術分野】
【０００１】  本考案は  乳児鳴声吸音テントに関するものである。
【背景技術】
【０００２】  乳児の鳴き声に家族、近隣居住者がいら立ち迷惑をかけていることから鳴き声の音量を吸音テントで低くしょうとするものである。
【考案の概要】
【考案が解決しようとする課題】
【０００３】  乳児の鳴き声は声量が高くまた泣きやまないことから家族、近隣居住者がいら立ち迷惑をかけていることから母親等は困りはて難儀を期していることからこの音声を吸音テントで低くし迷惑を軽減しょうとするものである。
【課題を解決するための手段】
【０００４】  乳児寝具を囲み吸音素材使用の覗き窓、通風口付き骨組み折りたたみ式乳児鳴声吸音テント
【考案の効果】
【０００５】  乳児の鳴き声は母親も家族、アパート・マンション・近隣家屋の他人にはいら立ちを与え迷惑をかけるものである。そこで乳児の寝具を吸音素材を使用したテントで囲み乳児の鳴き声音量を下げると迷惑程度が下がるものである。
テストでキャンプ用テントで実践したところ吸音素材でないにも拘わらずかなりの効果があり乳児の鳴き声音量が軽減された。
【図面の簡単な説明】
【０００６】
【図１】  ベビーベットである。
【図２】  ベビーベットカバーテントである。
【図３】  ベビーベットカバーテント分解図である。
【符号の説明】
【０００７】  １…  ベビーベットである。
２…  ベビーベットカバーテントである。
３…  ベビーベットカバーテントの骨組みである。
４…  ベビーベットカバーテント覗き窓である。
５…  ベビーベットカバーテント開閉装置である。
６…  空気穴である。
７…  上下開閉型出入り口である。
８…  ベビーベット又は床面や畳での布団である。
９…  ベビーベット又は床面や畳での布団使用伸縮可能器具である。
１０…  吸音素材幕面である。
１１…  覗き穴である。
１２…  上下開閉型出入り口である。
１３…  出入り口の上下開閉面である。
１４…  ベビーベット又は床面や畳での布団使用伸縮可能器具である。
１５…  空気孔である。
【考案を実施するための形態】
【０００８】  図において図１のベビーベット又は床面又は畳に敷いた布団（以下ベビーベット等と称する。）を乳児泣声の音量を下げる為に図２においてベビーベット等に吸音素材生地で乳児の安全性確保の為にこれも吸音素材で出来た覗き穴を四方に設け更に空気孔を設け、テントの一面が乳児をテントを移動や閉鎖しなくても出し入れ出来るよう上下開閉型とし、キャンプテント形式の軽量ワンタッチで開閉可能のテントとする。
大きさは拙宅使用のベビーベットは高さ７３ｃｍ、幅６３ｃｍ、長さ１０９ｃｍでありこのベビーベットよりやや余裕のある大きさのテントとする。
またベビーベットと床又は畳の布団で乳児を寝かせる場合の為にこのテントに伸縮可能の装置もつける。なおテント底部は密閉していないので酸欠の心配はなく泣声も外に漏れる恐れも有るが酸欠症防止の安全の為に空気孔も設ける。
以下扱い方について説明する。
乳児の泣き声音量を低くする為にベビーベット等を吸音素材生地で出来たテントで囲む。その際安全面で覗き窓、空気孔を設け出入り口も設ける。
またベビーベットや床面、畳に乳児を寝かせることが有るからテントの高さを調節する器具も設ける。
収納ケースも付けることとする。
なお猛暑の中では屋内でもテントに囲まれれば高温となる恐れが有り使用上の注意書きをし不測の事故を防ぐこととする。
【図１】
0003186583.tif 000003
【図２】
0003186583.tif 000004
【図３】
0003186583.tif 000005
(57)【要約】      （修正有）【課題】従来のペンチでは切断が困難であった太線を、容易に切断できる機能を備えた、切断力に優れたペンチを提供する。【解決手段】一対の把持棒２ａ、２ｂの交差部が軸着され、軸着部４より先端側にはくわえ部５と刃部６が形成されたペンチ１である。軸着部４の外周縁と刃部６の間に、くわえ部５が所定開口αした状態において、これらの把持棒２ａ、２ｂを貫通して一対の切断刃を有する凹溝７が形成されており、くわえ部５が閉じる方向に把持部２ａ、２ｂを握り締めると、凹溝７に挿入された被切断材が切断される。【選択図】図２
0003186586.tif 000002
【実用新案登録請求の範囲】
【請求項１】
一対の把持棒の交差部が軸着され、該軸着部より先端側にはくわえ部と刃部が形成されたペンチにおいて、
前記軸着部の外周縁と刃部の間に、前記くわえ部が所定開口状態において、これらの把持棒を貫通して一対の刃を有する凹溝が形成されており、前記くわえ部が閉じる方向に把持部を握り締めると、前記凹溝に挿入された被切断材が切断されることを特徴とする切断力に優れたペンチ。
【考案の詳細な説明】
【技術分野】
【０００１】  本考案は、従来のペンチでは切断が困難であった太線を、容易に切断できる機能を備えた、切断力に優れたペンチに関するものである。
【背景技術】
【０００２】  ペンチは、銅線や針金を切る、曲げる、挟む、引っ張る、ねじる等多くの作業ができる手工具である。ペンチの先端部分は物を掴むくわえ部が設けられており、物を掴んだとき、滑らないように凸凹のスジが切ってある。また、刃部で鋼線等の線材を切ることができるが、上下の刃を当接して切断する構造であるため、太線を切るときは強い握力を必要とし、こじる（ひねりながら切る）と刃部に横向きの力が加わるため刃こぼれやガタツキの原因となっていた。【０００３】  ペンチの刃こぼれを防止し、刃部の寿命を増加させるものとして、第１の握り棒の一端側に形成された凹部の中心に枢軸を形成し、該枢軸に対して第２の握り棒の一端側に形成された凹部の中心に形成された挿通孔を挿通して前記第１と第２の握り棒とを回動自在に連結せしめ、前記各握り棒の前記一端側の先端部に超硬合金からなる刃先チップが取付られた刃部よりなる作業工具が開示されている（特許文献１参照。）。
【先行技術文献】
【特許文献】
【０００４】
【特許文献１】  特開平７−８０７７５号公報
【考案の概要】
【考案が解決しようとする課題】
【０００５】  前記作業工具であるペンチは、鋼を焼入れして刃部を形成する代わりに、超硬合金からなる刃先チップを取付たものであるが、作業工程が複雑であり、超硬合金からなる刃先チップが高価であるという問題があった。
【課題を解決するための手段】
【０００６】  本考案は、前記問題を解決するために成されたものであり、一対の把持棒の交差部が軸着され、該軸着部より先端側にくわえ部と刃部が形成されたペンチにおいて、前記軸着部の軸の外周縁と刃部との間に開口された凹溝が形成されている。この凹溝は、前記くわえ部が所定の開口状態において、これらの把持棒を貫通したものであり一対の切断刃が形成されている。前記凹溝に被切断材である太線などを挟持して、前記くわえ部が閉じる方向に把持部を握り締めると、前記一対の切断刃の側面が重合することによるせん断力で、前記凹溝に挿入された被切断材が切断される。
【考案の効果】
【０００７】  本考案のペンチによれば、凹溝に設けられた切断刃は、従来の刃部よりも軸着部の軸（支点）に近い場所に設けられている。したがって、被切断材を切断できる応力が等しい場合は、従来のペンチの刃部で切断するよりも、凹溝に設けられた切断刃で切断するほうが、把持部（力点）を握り締める力は少なくてよい。言い換えれば、把持部を握り締める力が同一であっても、凹溝で切断すれば、従来の刃部で切断するよりも太い線材を切断することが可能となる。
【図面の簡単な説明】
【０００８】
【図１】  本考案の実施形態の一例を示す、閉じ状態の正面図である。
【図２】  本考案の実施形態の一例を示す、開き状態の正面図である。
【図３】  図２のＡ部拡大図である。
【図４】  被切断部材の切断作用を示す説明図である。
【考案を実施するための形態】
【０００９】  以下、本考案の切断力に優れたペンチについて、図面の基づき詳細に説明する。  図１は、本考案の実施形態の閉じ状態を示す正面図であり、図２は、本考案の実施形態の開き状態を示す正面図である。切断力に優れたペンチ（以下、ペンチという。）に使われている材料は、炭素工具鋼ＳＫ７、または機械構造用炭素鋼Ｓ５５Ｃ、或いはそれ以上の品質のものが使用されている。また、熱処理（焼入れ・焼戻し）がされていて、刃部の硬さはロックウェルＣスケールで５６〜６４になっている。
【００１０】  図１及び図２において、ペンチは一対の把持棒２ａ、２ｂの交差部が軸３により軸着されており、該軸着部４より先端側にはくわえ部５と該くわえ部５に連続して刃部６が形成されている。前記軸３は、一方の把持棒２ａに固着されており、他方の把持棒２ｂに設けられた軸孔に回動自在に軸着している。
【００１１】  前記軸着部４の外周縁と刃部６の間には、前記くわえ部が２０°〜３０°開口αした状態において、これらの把持棒２ａ、２ｂを貫通して一対の刃縁８を有する凹溝７が形成されている。図３（ａ）に示すように、該凹溝７の底部は凹溝７の幅を直径とする半円に形成されており、その頂点は前記軸３の外周縁に接触している。なお、図３（ｂ），（ｃ）に示すように、凹溝７の底部は軸３に接触しなくてもよく、軸３を刻設して設けてもよい。また、凹溝７は一方の把持棒２ｂから他方の把持棒２ａに向けて傾斜させて設けてもよい。
【００１２】  図４は、被切断部材１０の切断作用を示す説明図である。図４（ａ）に示すように、被切断部材１０を凹溝７に挿入し、図４（ｂ）に示すように、くわえ部５が閉じる方向に把持棒２ａ、２ｂを握り締めると、図４（ｃ）に示すように、前記凹溝７に挿入された被切断部材１０が凹溝７の刃縁８が重合することにより切断される。
【産業上の利用可能性】
【００１３】  本考案のペンチは、従来のペンチが切断することが難しかった太線などを容易に切断することが可能となり、従来のペンチの用途を更に拡大することができる。
【符号の説明】
【００１４】  １  ペンチ（切断力に優れたペンチ）
２ａ、２ｂ  把持棒
３  軸
４  軸着部
５  くわえ部
６  刃部
７  凹溝
８  刃縁
α  開口
１０  被切断部材（太線）
【図１】
0003186586.tif 000003
【図２】
0003186586.tif 000004
【図３】
0003186586.tif 000005
【図４】
0003186586.tif 000006
(57)【要約】      （修正有）【課題】電子タブレットの思わぬ落下や衝突を防止する落下防止バンドを装着した電子タブレット保護ケースを提供する。【解決手段】電子タブレット保護ケース自体に、保持するための手の平や指を挿入する布ゴム製の伸縮バンド１，２を取り付ける。これにより、片手での保持が安定し、電車内、立場所等姿勢が不安定な場所でも電子タブレットの落下、衝突などの懸念なく使用することができる。【選択図】図３
0003186589.tif 000002
【実用新案登録請求の範囲】
【請求項１】
電子タブレット保護ケースに手の平および手指を入れる伸縮性のある素材（布ゴム等）とする環状のバンドを縫製または接着により設置した電子タブレット保護ケース
【考案の詳細な説明】
【技術分野】
【０００１】本考案は、電子タブレットを片手にもって使用する際の落下防止の保持バンドをつけた電子タブレットの保護ケースに関するものである。
【背景技術】
【０００２】電子タブレットは機器本体とは別販売の布や皮革製の保護ケースを用いることが多いが、片手で持つには横幅が少し大きいものが多く、落下懸念があるが、本考案は保持の安定を図ったものである。
【考案の概要】
【本考案が解決しようとする課題】
【０００３】電子タブレットはその機能が多岐にわたり携帯に適した形状であり、生活のいろんなシーンで活用されている。そして、運搬時や使用時の衝撃防止のために、布皮等の保護ケースを用いることが多いが、機器自体の横幅が片手には少し余る大きさであるため、電車など立ったままでは落下しやすい。そこで、姿勢の変化、移動時の安定を図り落下を防止するために、保護ケース自体に保持安定を図ることはできないかとして考案したのが本考案である。
【課題を解決するための手段】
【０００４】  本考案は、布や皮革で作られた保護ケースに手の平および指先が入るような輪状の伸縮性のあるゴム布バンドを取り付け、使用する際は、保持する手にバンドに手を通して保持することで、電子タブレットを持つときの安定性を確保するものである。
【考案の効果】
【０００５】電子タブレット機器単体または保護ケースをつけた状態で、電車内など立った姿勢で使用するには絶えず姿勢の変化があり、落下や衝突の不安があったが、本考案によりその不安が解消される。
また、寝た状態で機器を保持することができるなど、生活上の各シーンでの使用をサポートすることができる。
電子タブレット機器の横幅は平均的な日本人が片手で画面を上にして掴んで持つには若干大きく（横幅が１２〜１３センチメートルの機種が多い）、重さも３００グラム程度あり、電子機器であり、衝撃は回避しなければならない。
【図面の簡単な説明】
【０００６】
【図１】本考案の取り付け事例として、上面折り畳みのケースで設置位置を示したものである。
【図２】本考案の取り付け事例として、上面折り畳みでないケースで設置位置を示したものである。
【図３】図１のケースで実際に装着した状態を下から見たものである。
【考案を実施するための形態】
【０００７】▲１▼機器を使用するときに保持する方の手の平が接するケースの面に、手の平が入る環      状の布ゴム等伸縮性のあるバンドを縫製または接着により取り付ける。使用時はこ      の環状部分に手の平を入れて保持を安定させる。
▲２▼さらに、専用ケースの下部の右側部に、保持する手の指が入るような布ゴム等伸縮      性のあるバンドを縫製または接着により取り付ける。使用時は、この部分に保持す      る手の指を入れて保持を安定させる。
▲３▼このように２重に安定させることにより、万一一方が緩んだ場合に備える。
【実施例】
【０００８】添付図面に沿って機器を左手で保持する（操作は右手）場合の実施例を示す。
１．専用ケースの上部（蓋の部分）が、縦に２つ折になっている場合
（機器を横に使用する際支えるスタンドになる仕様）
▲１▼ケースの左側の内側（閉じたとき、機器の画面と接する側）の折りたたみの右    側下部の部分に、内周が概ね手の平の長さの布ゴムバンド（幅２センチメートル）を    右４０度にて縫製または接着により、環状を作る。環状の大きさは概ね手の平の幅の    長さとする。この場合、ケースを閉じたとき、環状のバンドは機器の画面と接するた    め、材質はそれに適した素材であること、保持するときの安定のため、布ゴムバンド    が望ましい。
▲２▼ケース本体の底部の右側に、保持する手の指（中指等）が入る余裕の長さの▲    １▼と同様の環状を縫製または接着により、環状を作る。
２．専用ケースの上部が２つ折ではない場合
▲１▼ケースの左側の内側（閉じたとき、機器の画面と接する側）の中心下部部分に          内周が概ね手の平の長さの布ゴムバンド（幅２センチメートル）を右４０度に          て縫製または接着により、環状を作る。
▲２▼同様に、ケースの左側の内側の左上部に保持する手の指が入る余裕の長さの▲          １▼と同様の環状を縫製または接着により、環状を作る。
▲３▼使用時に、蓋の外側とケース底部は接することになるので、底部右側中央部お          よび蓋の底側にホックで止めるようにする。
（使用時に、蓋とケース本体を一体化させるためである）
【産業上の利用可能性】
【０００９】  電子タブレットは、スマートフォン同様、携帯されて使用される局面は大きくなるものと考えられる。インターネット探索、電子書籍、音楽、ビデオ、地図等使い勝手は広がる。一方、ビジネス取引場面でも使用される機会も増える。他方、精密電子機器であり落下、衝突など衝撃に十分留意しながら使用する機器である。
電子タブレットは保護ケースに入れて持ち歩くのが通例であり、使用時の落下防止のニーズは増大する。
【符号の説明】
【００１０】  １  手の平バンド（表面二つ折り式保護ケース）
２  手指バンド（表面二つ折式保護ケース）
３  手の平バンド（折りたたみ式でない保護ケース）
４  手指バンド（折りたたみ式でない保護ケース）
５  スナップ（衣服用）
６  電子タブレット保護ケース表面（表面二つ折式）
７  電子タブレット保護ケース裏面（表面二つ折式）
８  電子タブレット保護ケース表面（折りたたみ式でない）
９  電子タブレット保護ケース裏面（折りたたみ式でない）
１０  電子タブレット機器ディスプレイ面
【図１】
0003186589.tif 000003
【図２】
0003186589.tif 000004
【図３】
0003186589.tif 000005
(57)【要約】      （修正有）【課題】開傘ばねを下巣内に完全に隠し、外形が美しく、且つ手が挟まれる現象を避けることができ、しかも巣体を細くすることができ、持ち運びと収集に便利な自動傘の単体構造を提供する。【解決手段】自動傘の巣体構造であって、傘中棒に滑りをもってセットで接続される中巣２と下巣３、前記中巣２と下巣３の間に挟まれ、且つ前記中棒の外にセットで接続される開傘ばね５を備え、前記下巣３は下方に延長スリーブ３１を伸ばし、前記中巣２は下方にポジティブガイド管２１を伸ばし、前記開傘ばね５は前記延長スリーブ３１のキャビティの底部に取り付けられ、該ポジティブガイド管２１は前記下巣３の延長スリーブ３１のキャビティに挿入され、前記開傘ばね５の頂部は前記ポジティブガイド管２１の底部にオフセットされる。【選択図】図３
0003186550.tif 000002
【実用新案登録請求の範囲】
【請求項１】
傘中棒（1）に滑りをもってセットで接続される中巣（2）と下巣（3）、前記中巣（2）と下巣（3）の間に挟まれ、且つ前記中棒（1）の外にセットで接続される開傘ばね（5）を備える自動傘の巣体構造であって、
前記下巣（3）は下方に延長スリーブ（31）を伸ばし、前記中巣（2）は下方にポジティブガイド管（21）を伸ばし、前記開傘ばね（5）は前記延長スリーブ（31）のキャビティの底部に取り付けられ、該ポジティブガイド管（21）は前記下巣（3）の延長スリーブ（31）のキャビティに挿入され、前記開傘ばね（5）の頂部は前記ポジティブガイド管（21）の底部にオフセットされる、ことを特徴とする自動傘の巣体構造。
【考案の詳細な説明】
【技術分野】
【０００１】
本考案は傘具に関し、特に自動傘の巣体構造開傘ばねにおける構造改善に関する。
【背景技術】
【０００２】
従来の自動傘の巣体構造が最も中棒の外に滑りをもってセットで接続される中巣と下巣の間に開傘ばねは挟まれるが、該開傘ばねが外に直接曝され、下方に下巣を引いて収傘する時、該開傘ばねは圧縮され、開傘する時、開傘ばねは自身の張力の作用により伸長し、中巣と下巣の間の距離が増加し、そのため傘骨を開く。しかし、開傘ばねは外面に直接に曝され、美しくないだけでなくて、手が挟まれる現象をさらに発生させかねない。そのほか、従来の開傘ばねは中巣により下方に伸びるポジティブガイド管の外にすべてセットされ、したがって開傘ばねの直径は一般的にすべて比較的大きくなり、それに応じて、下巣スリーブの直径も比較的に大きくなって、こうして収傘体積を減少させるのには有用ではない。
【考案の概要】
【考案が解決しようとする課題】
【０００３】
本考案が解決しようとする技術問題は、開傘ばねを隠し、且つ巣体がもっと細くなる自動傘の巣体構造を提供することにある。
【課題を解決するための手段】
【０００４】
本考案は上記技術問題を解決し、採用する技術方案は、自動傘の巣体構造を設計し、製造し、傘中棒に滑りをもってセットで接続される中巣と下巣、前記中巣と下巣の間に挟まれ、且つ前記中棒の外にセットで接続される開傘ばねを備える。
【０００５】
前記下巣は下方に延長スリーブを伸ばし、前記中巣は下方にポジティブガイド管を伸ばし、前記開傘ばねは前記延長スリーブのキャビティの底部に取り付けられ、該ポジティブガイド管は前記下巣の延長スリーブキャビティに挿入され、前記開傘ばねの頂部は前記ポジティブガイド管の底部にオフセットされる。
【考案の効果】
【０００６】
従来の技術に比べて、本考案の自動傘の巣体構造である開傘ばねは、下巣のキャビティの底部に取り付けられ、外面に暴露されず、傘骨の外形はもっと美しく、ばねに手が挟まれる現象を起こさず、より安全に使用でき、同時に、開傘ばねの頂部は、中巣の延長管の底部に直接オフセットされ、下巣の内壁によって開傘ばねをポジティブガイドし、したがって開傘ばねの直径が小さくなり、そのため下巣の直径も相当に小さくなって、収傘体積を大幅に減少させることができ、持ち運びに便利である。
【図面の簡単な説明】
【０００７】
【図１】本考案の自動傘の巣体構造の傘骨構造概略図である。
【図２】は本考案の自動傘の巣体構造の分解図である。
【図３】は本考案の自動傘の巣体構造の断面図である。
【考案を実施するための形態】
【０００８】
以下に図面により示す最適な実施例を組み合わせ、さらなる詳細を説明する。
【０００９】
図1と図2に示されるように本考案の自動傘の巣体構造は、傘中棒1に滑りをもってセットで接続される中巣2と下巣3、前記中巣2と下巣3の間に挟まれ、且つ前記中棒1の外にセットで接続される開傘ばね5を備える。
【００１０】
図3に示されるように、前記下巣3は下方に延長スリーブ31を伸ばし、前記中巣2は下方にポジティブガイド管21を伸ばす。本考案の特別なところは、前記開傘ばね5が前記延長スリーブ31のキャビティの底部に取り付けられ、該ポジティブガイド管21が上から下まで前記下巣3の延長スリーブ31のキャビティに挿入され、そのため開傘ばね5を下面に押し、該開傘ばね5の頂部が前記ポジティブガイド管21の底部に直接オフセットされ、該開傘ばね5の底部が延長スリーブ31のキャビティの底部により内に隆起する階段面にオフセットされることにある。
【００１１】
上記構造を採用した後、開傘の状態または収傘の状態のいずれかで、前記開傘ばね5はすべてポジティブガイド管21に下巣3の延長スリーブ31のキャビティに押され、暴露されず、したがって傘骨をもっと美しくし、しかもばねに手が挟まれる現象を発生させないない。そのほか、図3のように、開傘ばね5の頂部はポジティブガイド管21の円環の底面にオフセットされ、したがって該開傘ばね5の直径とポジティブガイド管21の直径のサイズはほとんど同じであり、従来の開傘ばねの直径よりはるかに小さく、前記下巣3の延長スリーブ31の内径は開傘ばね5の外径よりも大きく、開傘ばね5の伸張と圧縮の過程にそれにポジティブガイドの作用を有し、開傘ばね5と傘中棒1の摩擦を防止する。こうして、下巣3の延長スリーブ31の直径も小さくすることができ、傘の収傘の体積を減少することに役立ち、持ち運びと収集に便利である。
【００１２】
以上のとおり、前記は、本考案の優先実施例であるだけでなくて、かつ本考案を制限するためには用いられない。本分野の当業者として、本考案は各種の更改と変化を含み、本考案の精神と原理の範囲を逸脱することなく、任意の改良、等価の交換、改善等が本考案の保護範囲の内にすべて含まれるはずである。
【図１】
0003186550.tif 000003
【図２】
0003186550.tif 000004
【図３】
0003186550.tif 000005
(57)【要約】      （修正有）【課題】犬をしつける際にごほうびとして与えるおやつを瞬時に取り出せる様に工夫した犬のしつけ用おやつケースを提供する。【解決手段】開口部片側３と底につけた程よいカーブがあり、後ろ面に樹脂製のフック４を２箇所に縫い付けてある袋から成り、傘に使うような滑りの良いサラッとした布を使用し縦約１６ｃｍ横約１２ｃｍの布４枚を使用して底の丸い袋状に縫い上げられており、外側も内側も表地で、縫い代がどこからも見えない構造であり、又、後ろ面には樹脂製のフックを２箇所に縫い付けているため、衣類のポケットの内側、外側に容易に着脱可能としたことを特徴とする。【選択図】図２
0003186555.tif 000002
【実用新案登録請求の範囲】
【請求項１】
形態（外側間口につけた程よいカーブとゆとり）や材質（傘に使う様なすべりの良い、サラッとした布を使用）に特徴がある、手を入れ易く、中に入れたおやつを瞬時に取り出し易い、犬のしつけ用おやつケース。
【請求項２】
衣服（ジャケットやパンツ）のポケットの中に入る、犬のしつけ用おやつケース。
【請求項３】
フック付の為、衣服のポケットの中にでも外にでも容易に着脱可能な犬のしつけ用おやつケース。
【考案の詳細な説明】
【技術分野】
【０００１】  この考案は犬のしつけをする時に使用するものであり、犬が良いことをした時、すぐにごほうびを与えられるよう工夫した、しつけ用おやつケースである。
【背景技術】
【０００２】  犬のしつけのポイントはごほうびを与えるスピードであるが、この目的を叶えるグッズがない。ごほうびのおやつをじかにポケットに入れておく様にドッグトレーナーは指導するが、それでは衣類が汚れて困る。ごほうびを与えようと思ったときに袋やケースから取り出していたのでは時間がかかってしまい、タイミングを逃してしまう。ウエストポーチ式のケースでは犬がそこにおやつがあるのがわかってしまいトレーニングに集中できない。飼い主がウエストポーチ式のケースをファッション上の問題で敬遠することがある。
【考案の概要】
【考案が解決しようとする課題】
【０００３】  犬のしつけのポイントは犬が良いことをした時にほめるタイミング、スピードが大切である。良いことができた時、例えば散歩中に出会った犬にすぐ吠えてしまっていたのが、我慢して吠えなかった時、間髪入れずにごほうび（おやつ）を与えることで、犬は（そうか、こうすればおやつがもらえるのだ）ということを学び，そのこと（散歩中、犬に出会ってもやたらと吠える事をしなくなる）をマスターしていく。その為、多くのドッグトレーナーが、おやつをじかにポケットに入れて、持ち運ぶ事を推奨している。しつけを行おうとする飼い主がごほうびのおやつを持っていることを犬に気づかれずに、しかも瞬時に取り出せる状態で持ち歩くことが要求されている。しかしそれでは衣類が汚れて困る。衣類に簡単に取り付けられて、必要な時おやつを瞬時に取り出せる、使いやすく見栄えのする、可愛いグッズが必要である。
【課題を解決するための手段】
【０００４】「ごほうびポッケ」は上記課題をすべてクリアしている。
形態（外側間口につけた程よいカーブとゆとり）や材質（傘に使う様なすべりの良い、サラッとした布を使用）に工夫があり、手を入れ易く、中に入れたごほうび（おやつ）を瞬時に取り出せ、タイミング良く犬に与えることができる。ジャケット、パンツ等のポケットにすっぽり入り、なじみやすく、犬に気づかれることなく衣類を汚す心配もない。フック付のため、衣類のポケットに簡単に引っ掛けて取り付けられ、又、取りはずしも簡単である。
【考案の効果】
【０００５】  しつけがうまくいき、犬がお利口になることにより、飼い主との関係をより良好な状況へと移行するのに役立つ。犬のしつけに困っている多くの飼い主に喜んで利用してもらえると思う。
【図面の簡単な説明】
【０００６】
【図１】ごほうびポッケを真正面から見た図である。
【図２】ごほうびポッケを斜め正面から見た図である。
【図３】ごほうびポッケを真裏から見た図である。
【図４】ごほうびポッケを斜め裏から見た図である。
【図５】ごほうびポッケをジャケットのポケット内に取り付けた図である。
【図６】ごほうびポッケをパンツ後ろのポケット外側に取り付けた図である。
【符号の説明】
【０００７】１  縦の長さ約１６ｃｍ
２  横の長さ約１２ｃｍ
３  おやつを入れる口
４  ポケットに取り付けるためのフック
【図１】
0003186555.tif 000003
【図２】
0003186555.tif 000004
【図３】
0003186555.tif 000005
【図４】
0003186555.tif 000006
【図５】
0003186555.tif 000007
【図６】
0003186555.tif 000008
【手続補正書】
【提出日】平成25年7月19日(2013.7.19)
【手続補正１】
【補正対象書類名】実用新案登録請求の範囲
【補正対象項目名】全文
【補正方法】変更
【補正の内容】
【実用新案登録請求の範囲】
【請求項１】
開口部片側と底につけた程よいカーブがあり、後ろ面に樹脂製のフックを２箇所に縫い付けてある袋から成り、傘に使うような滑りの良いサラッとした布を使用し縦約１６ｃｍ横約１２ｃｍの布４枚を使用して底の丸い袋状に縫い上げられており、外側も内側も表地で、縫い代がどこからも見えない構造であり、又、後ろ面には樹脂製のフックを２箇所に縫い付けているため、衣類のポケットの内側、外側に容易に着脱可能な犬のしつけ用おやつケース。